(57)【要約】【課題】通信相手の通信端末の応答モードが自動応答モードと手動応答モードとの何れの応答モードであるかを自動的に把握する。【解決手段】本発明に係る通信端末は、受信ステータスと送信ステータスとを有し、通信相手の通信端末と半二重通信を行う通信端末であって、半二重通信の通信接続の要求を受信した場合に、ユーザによる操作入力を受けることなく受信ステータスに遷移する自動応答モード、および半二重通信の通信接続の要求を受信した場合に、ユーザによる操作入力を受けることにより受信ステータスに遷移する手動応答モードを有し、通信相手の通信端末の応答モードが、自動応答モードと手動応答モードとのいずれの応答モードであるかを示す応答モード情報を受信する応答モード受信部と、応答モード情報が示す応答モードが自動応答モードおよび手動応答モードの何れであるかをユーザに通知する通知部とを備える。【選択図】図２
2008104117.tif 000002
【特許請求の範囲】
【請求項１】
通信相手の通信端末から音声データを受信する受信ステータスと、前記通信相手の前記通信端末に音声データを送信する送信ステータスとを有し、前記通信相手の前記通信端末と半二重通信を行う通信端末であって、
半二重通信の通信接続の要求を受信した場合に、ユーザによる操作入力を受けることなく前記受信ステータスに遷移する自動応答モード、および半二重通信の通信接続の要求を受信した場合に、ユーザによる操作入力を受けることにより前記受信ステータスに遷移する手動応答モードを有し、
前記通信相手の前記通信端末の応答モードが、前記自動応答モードと前記手動応答モードとのいずれの応答モードであるかを示す応答モード情報を受信する応答モード受信部と、
前記応答モード受信部が受信した応答モード情報が示す応答モードが前記自動応答モードおよび前記手動応答モードのいずれであるかをユーザに通知する通知部と
を備える通信端末。
【請求項２】
半二重通信の通信接続の要求を受信した場合に、ユーザによる操作入力を受けるか否かに関わらず、前記受信ステータスに遷移しない応答拒否モードをさらに有し、
前記応答モード受信部は、前記通信相手の前記通信端末の応答モードが、前記自動応答モード、前記手動応答モード、または前記応答拒否モードのいずれの応答モードであるかを示す応答モード情報を受信し、
前記通知部は、前記応答モード受信部が受信した応答モード情報が示す応答モードが前記自動応答モード、前記手動応答モード、および前記応答拒否モードのいずれであるかをユーザに通知する
請求項１に記載の通信端末。
【請求項３】
半二重通信の通信接続の要求を受け付けることができない利用不可モードをさらに有し、
前記応答モード受信部は、前記通信相手の前記通信端末の応答モードが、前記自動応答モード、前記手動応答モード、または前記利用不可モードのいずれの応答モードであるかを示す応答モード情報を受信し、
前記通知部は、前記応答モード受信部が受信した応答モード情報が示す応答モードが前記自動応答モード、前記手動応答モード、および前記利用不可モードのいずれであるかをユーザに通知する
請求項１に記載の通信端末。
【請求項４】
前記通信相手の前記通信端末を識別する端末識別情報に対応づけて、前記応答モード受信部が受信した応答モード情報を格納する相手モード格納部
をさらに備え、
前記応答モード受信部は、前記通信相手の前記通信端末の応答モード情報を所定時間間隔で受信して、受信した前記応答モード情報で前記相手モード格納部を更新し、
前記通知部は、前記相手モード格納部が格納している応答モード情報を参照して、当該応答モード情報が示す応答モードが前記自動応答モードおよび前記手動応答モードのいずれであるかを、当該応答モード情報に対応づけて前記相手モード格納部が格納している端末識別情報が示す前記通信相手の前記通信端末と対応させてユーザに通知する
請求項１に記載の通信端末。
【請求項５】
前記通信相手の前記通信端末を識別する端末識別情報に対応づけて、前記通信相手を識別する画像を格納する相手画像格納部
をさらに備え、
前記通知部は、前記応答モード情報が示す応答モードが前記自動応答モードおよび前記手動応答モードのいずれであるかを、当該応答モード情報に対応づけて前記相手モード格納部が格納している端末識別情報を抽出し、抽出された端末識別情報に対応づけて前記相手画像格納部が格納している画像と対応させて表示する
請求項４に記載の通信端末。
【請求項６】
通信相手の通信端末から音声データを受信する受信ステータスと、前記通信相手の前記通信端末に音声データを送信する送信ステータスとを有する通信端末が、前記通信相手の前記通信端末と半二重通信を行う通信方法であって、
半二重通信の通信接続の要求を受信した場合に、ユーザによる操作入力を受けることなく前記受信ステータスに遷移する自動応答モード、および半二重通信の通信接続の要求を受信した場合に、ユーザによる操作入力を受けることにより前記受信ステータスに遷移する手動応答モードを有し、
前記通信相手の前記通信端末の応答モードが、前記自動応答モードと前記手動応答モードとのいずれの応答モードであるかを示す応答モード情報を受信する応答モード受信段階と、
前記応答モード受信段階において受信された応答モード情報が示す応答モードが前記自動応答モードおよび前記手動応答モードのいずれであるかをユーザに通知する通知段階と
を備える通信方法。
【請求項７】
通信相手の通信端末から音声データを受信する受信ステータスと、前記通信相手の前記通信端末に音声データを送信する送信ステータスとを有し、前記通信相手の前記通信端末と半二重通信を行う通信端末用の通信プログラムであって、前記通信端末を、
半二重通信の通信接続の要求を受信した場合に、ユーザによる操作入力を受けることなく前記受信ステータスに遷移する自動応答モード、および半二重通信の通信接続の要求を受信した場合に、ユーザによる操作入力を受けることにより前記受信ステータスに遷移する手動応答モードを有し、
前記通信相手の前記通信端末の応答モードが、前記自動応答モードと前記手動応答モードとのいずれの応答モードであるかを示す応答モード情報を受信する応答モード受信部、
前記応答モード受信部が受信した応答モード情報が示す応答モードが前記自動応答モードおよび前記手動応答モードのいずれであるかをユーザに通知する通知部
として機能させる通信プログラム。
【請求項８】
通信相手の通信端末から音声データを受信する受信ステータスと、前記通信相手の前記通信端末に音声データを送信する送信ステータスとを有し、前記通信相手の前記通信端末と半二重通信を行う通信端末であって、
半二重通信の通信接続の要求を受信した場合に、ユーザによる操作入力を受けることなく前記受信ステータスに遷移する自動応答モード、および半二重通信の通信接続の要求を受信した場合に、ユーザによる操作入力を受けることにより前記受信ステータスに遷移する手動応答モードを有し、
応答モードが前記自動応答モードと前記手動応答モードとのいずれの応答モードに設定されているかを示す応答モード情報を格納する応答モード格納部と、
前記応答モード格納部が格納している応答モード情報を前記通信相手の前記通信端末に送信して、前記応答モード格納部が格納している応答モード情報が示す応答モードが前記自動応答モードおよび手動応答モードのいずれであるかを前記通信相手の前記通信端末からユーザに通知させる応答モード送信部と
を備える通信端末。
【請求項９】
通信相手の通信端末から音声データを受信する受信ステータスと、前記通信相手の前記通信端末に音声データを送信する送信ステータスとを有する通信端末が、前記通信相手の前記通信端末と半二重通信を行う通信方法であって、
半二重通信の通信接続の要求を受信した場合に、ユーザによる操作入力を受けることなく前記受信ステータスに遷移する自動応答モード、および半二重通信の通信接続の要求を受信した場合に、ユーザによる操作入力を受けることにより前記受信ステータスに遷移する手動応答モードを有し、
応答モードが前記自動応答モードと前記手動応答モードとのいずれの応答モードに設定されているかを示す応答モード情報を応答モード格納部に格納する応答モード格納段階と、
前記応答モード格納部が格納している応答モード情報を前記通信相手の前記通信端末に送信する送信段階と、
前記応答モード格納部が格納している応答モード情報が示す応答モードが前記自動応答モードおよび手動応答モードのいずれであるかを前記通信相手の前記通信端末からユーザに通知させる応答モード送信段階と
を備える通信方法。
【請求項１０】
通信相手の通信端末から音声データを受信する受信ステータスと、前記通信相手の前記通信端末に音声データを送信する送信ステータスとを有し、前記通信相手の前記通信端末と半二重通信を行う通信端末用の通信プログラムであって、前記通信端末を
半二重通信の通信接続の要求を受信した場合に、ユーザによる操作入力を受けることなく前記受信ステータスに遷移する自動応答モード、および半二重通信の通信接続の要求を受信した場合に、ユーザによる操作入力を受けることにより前記受信ステータスに遷移する手動応答モードを有し、
応答モードが前記自動応答モードと前記手動応答モードとのいずれの応答モードに設定されているかを示す応答モード情報を格納する応答モード格納部、
前記応答モード格納部が格納している応答モード情報を前記通信相手の前記通信端末に送信して、前記応答モード格納部が格納している応答モード情報が示す応答モードが前記自動応答モードおよび手動応答モードのいずれであるかを前記通信相手の前記通信端末からユーザに通知させる応答モード送信部
として機能させる通信プログラム。
【請求項１１】
第１通信端末から音声データを受信する受信ステータスと、前記第１通信端末に音声データを送信する送信ステータスとを有し、半二重通信を行う第１通信端末および第２通信端末を備える通信システムであって、
前記第２通信端末は、
半二重通信の通信接続の要求を受信した場合に、ユーザによる操作入力を受けることなく前記受信ステータスに遷移する自動応答モード、および半二重通信の通信接続の要求を受信した場合に、ユーザによる操作入力を受けることにより前記受信ステータスに遷移する手動応答モードを有し、
前記第１通信端末は、
前記第２通信端末の応答モードが、前記自動応答モードと前記手動応答モードとのいずれの応答モードであるかを示す応答モード情報を受信する応答モード受信部と、
前記応答モード受信部が受信した応答モード情報が示す応答モードが前記自動応答モードおよび前記手動応答モードのいずれであるかをユーザに通知する通知部と
を有する通信システム。
【請求項１２】
前記第２通信端末は、
応答モードが前記自動応答モードと前記手動応答モードとのいずれの応答モードに設定されているかを示す応答モード情報を格納する応答モード格納部と、
前記応答モード格納部が格納している応答モード情報を前記第１通信端末に送信して、前記応答モード格納部が格納している応答モード情報が示す応答モードが前記自動応答モードおよび手動応答モードのいずれであるかを前記第１通信端末からユーザに通知させる応答モード送信部と
を有する請求項１１に記載の通信システム。
【発明の詳細な説明】
【技術分野】
【０００１】
本発明は、通信端末、通信方法、通信プログラム、および通信システムに関する。特に、本発明は、通信相手の通信端末と半二重通信を行う通信端末、通信方法、通信プログラム、および通信システムに関する。
【背景技術】
【０００２】
特許文献１には、移動体端末の現在の状況を、通信相手の移動体端末にセンタ装置を介して通知する移動体端末およびセンタ装置について提案されている。また、特許文献２には、特定地域に存在する複数の通信端末とグループ通信をする通信端末について提案されている。
【特許文献１】特開２００３−２１９４８２号公報
【特許文献２】特開２００６−８１１８４号公報
【発明の開示】
【発明が解決しようとする課題】
【０００３】
しかしながら、特許文献１および特許文献２に記載の発明においては、半二重のＰｕｓｈ−Ｔｏ−Ｔａｌｋ（ＰＴＴ）通信方式で通信する場合に、発側の通信端末から着側の通信端末が自動応答モードであるか手動応答モードであるかを判断することができない。したがって、発側の通信端末がＰＴＴ通信方式での通信を所望する場合に、着側の通信端末を利用するユーザが着側の通信端末において、ＰＴＴ通信方式での通信の呼びかけに即座に応じることができるか否かを把握することが困難である。
【０００４】
そこで本発明は、上記課題を解決することができる通信端末、通信方法、通信プログラム、および通信システムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、通信相手の通信端末から音声データを受信する受信ステータスと、通信相手の通信端末に音声データを送信する送信ステータスとを有し、通信相手の通信端末と半二重通信を行う通信端末であって、半二重通信の通信接続の要求を受信した場合に、ユーザによる操作入力を受けることなく受信ステータスに遷移する自動応答モード、および半二重通信の通信接続の要求を受信した場合に、ユーザによる操作入力を受けることにより受信ステータスに遷移する手動応答モードを有し、通信相手の通信端末の応答モードが、自動応答モードと手動応答モードとのいずれの応答モードであるかを示す応答モード情報を受信する応答モード受信部と、応答モード受信部が受信した応答モード情報が示す応答モードが自動応答モードおよび手動応答モードのいずれであるかをユーザに通知する通知部とを備える。
【０００６】
また、半二重通信の通信接続の要求を受信した場合に、ユーザによる操作入力を受けるか否かに関わらず、受信ステータスに遷移しない応答拒否モードをさらに有し、応答モード受信部は、通信相手の通信端末の応答モードが、自動応答モード、手動応答モード、または応答拒否モードのいずれの応答モードであるかを示す応答モード情報を受信し、通知部は、応答モード受信部が受信した応答モード情報が示す応答モードが自動応答モード、手動応答モード、および応答拒否モードのいずれであるかをユーザに通知してもよい。
【０００７】
また、本発明の第２の形態においては、通信相手の通信端末から音声データを受信する受信ステータスと、通信相手の通信端末に音声データを送信する送信ステータスとを有する通信端末が、通信相手の通信端末と半二重通信を行う通信方法であって、半二重通信の通信接続の要求を受信した場合に、ユーザによる操作入力を受けることなく受信ステータスに遷移する自動応答モード、および半二重通信の通信接続の要求を受信した場合に、ユーザによる操作入力を受けることにより受信ステータスに遷移する手動応答モードを有し、通信相手の通信端末の応答モードが、自動応答モードと手動応答モードとのいずれの応答モードであるかを示す応答モード情報を受信する応答モード受信段階と、応答モード受信段階において受信された応答モード情報が示す応答モードが自動応答モードおよび手動応答モードのいずれであるかをユーザに通知する通知段階とを備える。
【０００８】
また、本発明の第３の形態においては、通信相手の通信端末から音声データを受信する受信ステータスと、通信相手の通信端末に音声データを送信する送信ステータスとを有し、通信相手の通信端末と半二重通信を行う通信端末用の通信プログラムであって、通信端末を、半二重通信の通信接続の要求を受信した場合に、ユーザによる操作入力を受けることなく受信ステータスに遷移する自動応答モード、および半二重通信の通信接続の要求を受信した場合に、ユーザによる操作入力を受けることにより受信ステータスに遷移する手動応答モードを有し、通信相手の通信端末の応答モードが、自動応答モードと手動応答モードとのいずれの応答モードであるかを示す応答モード情報を受信する応答モード受信部、応答モード受信部が受信した応答モード情報が示す応答モードが自動応答モードおよび手動応答モードのいずれであるかをユーザに通知する通知部として機能させる。
【０００９】
また、本発明の第４の形態においては、通信相手の通信端末から音声データを受信する受信ステータスと、通信相手の通信端末に音声データを送信する送信ステータスとを有し、通信相手の通信端末と半二重通信を行う通信端末であって、半二重通信の通信接続の要求を受信した場合に、ユーザによる操作入力を受けることなく受信ステータスに遷移する自動応答モード、および半二重通信の通信接続の要求を受信した場合に、ユーザによる操作入力を受けることにより受信ステータスに遷移する手動応答モードを有し、応答モードが自動応答モードと手動応答モードとのいずれの応答モードに設定されているかを示す応答モード情報を格納する応答モード格納部と、応答モード格納部が格納している応答モード情報を通信相手の通信端末に送信して、応答モード格納部が格納している応答モード情報が示す応答モードが自動応答モードおよび手動応答モードのいずれであるかを通信相手の通信端末からユーザに通知させる応答モード送信部とを備える。
【００１０】
また、本発明の第５の形態においては、通信相手の通信端末から音声データを受信する受信ステータスと、通信相手の通信端末に音声データを送信する送信ステータスとを有する通信端末が、通信相手の通信端末と半二重通信を行う通信方法であって、半二重通信の通信接続の要求を受信した場合に、ユーザによる操作入力を受けることなく受信ステータスに遷移する自動応答モード、および半二重通信の通信接続の要求を受信した場合に、ユーザによる操作入力を受けることにより受信ステータスに遷移する手動応答モードを有し、応答モードが自動応答モードと手動応答モードとのいずれの応答モードに設定されているかを示す応答モード情報を応答モード格納部に格納する応答モード格納段階と、応答モード格納部が格納している応答モード情報を通信相手の通信端末に送信する送信段階と、応答モード格納部が格納している応答モード情報が示す応答モードが自動応答モードおよび手動応答モードのいずれであるかを通信相手の通信端末からユーザに通知させる応答モード送信段階とを備える。
【００１１】
また、本発明の第６の形態においては、通信相手の通信端末から音声データを受信する受信ステータスと、通信相手の通信端末に音声データを送信する送信ステータスとを有し、通信相手の通信端末と半二重通信を行う通信端末用の通信プログラムであって、通信端末を半二重通信の通信接続の要求を受信した場合に、ユーザによる操作入力を受けることなく受信ステータスに遷移する自動応答モード、および半二重通信の通信接続の要求を受信した場合に、ユーザによる操作入力を受けることにより受信ステータスに遷移する手動応答モードを有し、応答モードが自動応答モードと手動応答モードとのいずれの応答モードに設定されているかを示す応答モード情報を格納する応答モード格納部、応答モード格納部が格納している応答モード情報を通信相手の通信端末に送信して、応答モード格納部が格納している応答モード情報が示す応答モードが自動応答モードおよび手動応答モードのいずれであるかを通信相手の通信端末からユーザに通知させる応答モード送信部として機能させる。
【００１２】
また、本発明の第７の形態においては、第１通信端末から音声データを受信する受信ステータスと、第１通信端末に音声データを送信する送信ステータスとを有し、半二重通信を行う第１通信端末および第２通信端末を備える通信システムであって、第２通信端末は、半二重通信の通信接続の要求を受信した場合に、ユーザによる操作入力を受けることなく受信ステータスに遷移する自動応答モード、および半二重通信の通信接続の要求を受信した場合に、ユーザによる操作入力を受けることにより受信ステータスに遷移する手動応答モードを有し、第１通信端末は、第２通信端末の応答モードが、自動応答モードと手動応答モードとのいずれの応答モードであるかを示す応答モード情報を受信する応答モード受信部と、応答モード受信部が受信した応答モード情報が示す応答モードが自動応答モードおよび手動応答モードのいずれであるかをユーザに通知する通知部とを有する。
【００１３】
なお、上記の発明の概要は、本発明の必要な特徴の全てを列挙したものではなく、これらの特徴群のサブコンビネーションもまた、発明となりうる。
【発明の効果】
【００１４】
本発明によれば、通信相手の通信端末の応答モードが自動応答モードと手動応答モードとのいずれの応答モードであるかを自動的に把握することができる。
【発明を実施するための最良の形態】
【００１５】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１６】
図１は、本発明の一実施形態に係る通信システム３０の概要を示す。通信システム３０は、複数の通信端末１０、プレゼンスサーバ２０、およびＳＩＰサーバ２２を備える。通信端末１０は、ＳＩＰサーバ２２に制御されて、他の通信端末１０と半二重のＰｕｓｈ−Ｔｏ−Ｔａｌｋ（ＰＴＴ）通信方式による通信を行う。複数の通信端末１０はそれぞれ、自己の現在の状況を示すプレゼンス情報を、ネットワーク４０を介してプレゼンスサーバ２０に送信する。プレゼンスサーバ２０は、予め定められた時間間隔で複数の通信端末１０のそれぞれからプレゼンス情報を取得して、取得した複数の通信端末１０のそれぞれのプレゼンス情報を管理する。そして、プレゼンスサーバ２０は、取得した複数のプレゼンス情報を複数の通信端末１０のそれぞれに送信して表示させる。
【００１７】
本実施形態に係る通信システム３０は、通信端末１０において、当該通信端末１０の通信相手の通信端末１０の応答モードが自動応答モードと手動応答モードとのいずれの応答モードであるかをユーザの特別の操作なしにユーザに通知することを目的とする。
【００１８】
通信端末１０は、通信相手の通信端末１０から音声データを受信する受信ステータスと、通信相手の通信端末１０に音声データを送信する送信ステータスとを有しており、通信相手の通信端末１０と半二重のＰＴＴ通信方式の通信を行う通信端末１０であって、例えば、携帯電話端末である。なお、通信端末１０は、通信機能を有したノートパソコン、ＰＤＡ、およびゲーム機等の情報端末、並びに通信機能を有したデスクトップ型ＰＣであってもよい。そして、通信端末１０は、半二重通信の通信接続の要求を通信相手の通信端末１０から受信した場合に、ユーザによる操作入力を受けることなく受信ステータスに遷移する自動応答モード、および半二重通信の通信接続の要求を受信した場合に、ユーザによる操作入力を受けることにより受信ステータスに遷移する手動応答モードを有する。
【００１９】
また、通信端末１０がプレゼンスサーバ２０に送信するプレゼンス情報は、通信端末１０の現在の応答モードが自動応答モードであるか手動応答モードであるかを示す応答モード情報を含む。また、プレゼンス情報は、通信端末１０の現在の応答モードがその他の応答モード、例えば、半二重通信の通信接続の要求を受信した場合にユーザによる操作入力を受けるか否かに関わらず、受信ステータスに遷移しない応答拒否モード、半二重通信の通信接続の要求を受け付けることができない利用不可モードを含む。さらに、プレゼンス情報は、通信端末１０を利用するユーザの状況を示す情報を含む。
【００２０】
具体的には、通信端末１０（Ａ）、通信端末１０（Ｂ）、および通信端末１０（Ｃ）のそれぞれは、予め定められた時間間隔、または予め定められたイベントの発生（例えば、プレゼンス情報の変更、および基地局からの電磁波強度の予め定められた閾値以下への変動等）に応じて、自己のプレゼンス情報をプレゼンスサーバ２０に送信する。プレゼンスサーバ２０はプレゼンス情報を、通信端末１０を識別する通信端末識別情報に対応づけて管理する。プレゼンスサーバ２０は、予め定められた時間間隔、または通信端末１０における予め定められたイベントの発生に応じて、複数の通信端末１０のそれぞれからプレゼンス情報を取得する。
【００２１】
プレゼンスサーバ２０は、予め定められた時間間隔で、複数の通信端末１０から取得したプレゼンス情報を、複数の通信端末１０のそれぞれに送信する。例えば、プレゼンスサーバ２０は、通信端末１０（Ａ）、通信端末１０（Ｂ）、および通信端末１０（Ｃ）のそれぞれからそれぞれのプレゼンス情報を取得する。そして、プレゼンスサーバ２０は、通信端末１０（Ａ）から取得したプレゼンス情報を、通信端末１０（Ｂ）および通信端末１０（Ｃ）に送信するとともに、通信端末１０（Ｂ）から取得したプレゼンス情報を、通信端末１０（Ａ）および通信端末１０（Ｃ）に、通信端末１０（Ｃ）から取得したプレゼンス情報を、通信端末１０（Ａ）および通信端末１０（Ｂ）にそれぞれ送信する。
【００２２】
具体的には、通信端末１０（Ａ）は、プレゼンスサーバ２０からネットワーク４０を介して、通信端末１０（Ｂ）および通信端末１０（Ｃ）のプレゼンス情報を取得する。また、通信端末１０（Ａ）は、プレゼンスサーバ２０から通信端末１０（Ｄ）のプレゼンス情報を取得する。そして、通信端末１０（Ａ）は、取得した複数のプレゼンス情報を解析して、通信端末１０（Ａ）の表示部１５２に、通信端末１０（Ｂ）、通信端末１０（Ｃ）、および通信端末１０（Ｄ）のプレゼンス情報を表示する。
【００２３】
例えば、通信端末１０（Ａ）は、プレゼンス情報に含まれる通信端末１０（Ｂ）、通信端末１０（Ｃ）、および通信端末１０（Ｄ）のそれぞれの応答モードを、表示部１５２の応答モードの内容を表示する領域である応答モード通知領域５００、応答モード通知領域５０２、および応答モード通知領域５０４にそれぞれ表示する。例えば、通信端末１０（Ａ）は、表示部１５２の応答モード通知領域５００に、通信端末１０（Ｂ）の応答モードが自動応答モードである旨を示すべく、"Ｂさん  自動応答"と表示する。同様にして、通信端末１０（Ａ）は、応答モード通知領域５０２に通信端末１０（Ｃ）の応答モードが手動応答モードである旨を示すべく、"Ｃさん  手動応答"と表示するとともに、応答モード通知領域５０４に通信端末１０（Ｄ）の応答モードが利用不可モードである旨を示すべく、"Ｄさん  利用不可"と表示する。
【００２４】
本実施形態に係る通信システム３０によれば、通信端末１０において他の通信端末１０が自動応答モードであるか手動応答モードであるかを随時更新して表示できる。したがって、通信端末１０のユーザは、他の通信端末１０が自動応答モードであることを把握した場合には、自己が発した音声が他の通信端末１０のユーザが即座に聞くことができ、他の通信端末１０が手動応答モードであることを把握した場合には、自己が発した音声が他の通信端末１０のユーザが即座に聞くことはできないことを容易に把握することができる。
【００２５】
図２は、本実施形態に係る通信端末１０の機能構成の一例を示す。通信端末１０は、応答モード受信部１００、応答モード受信制御部１０２、応答モード送信部１０４、応答モード送信制御部１０６、端末識別情報取得部１１０、相手モード格納部１２０、通知制御部１３０、相手画像格納部１４０、通知部１５０、応答モード設定部１６０、および応答モード格納部１７０を備える。通知部１５０は、表示部１５２および音声出力部１５４を有する。
【００２６】
応答モード受信部１００は、通信相手の通信端末１０の応答モードが、自動応答モードと手動応答モードとのいずれの応答モードであるかを示す応答モード情報を受信する。具体的には、応答モード受信部１００は、通信相手の通信端末１０がネットワーク４０を介してプレゼンスサーバ２０に送信したプレゼンス情報に含まれる応答モード情報であって、プレゼンスサーバ２０が管理している応答モード情報を、プレゼンスサーバ２０から受信する。すなわち、応答モード受信部１００は、プレゼンスサーバ２０を介して通信相手の通信端末１０から応答モード情報を受信する。
【００２７】
また、応答モード受信部１００は、通信相手の通信端末１０の応答モードが、自動応答モード、手動応答モード、応答拒否モード、または利用不可モードのいずれの応答モードであるかを示す応答モード情報を受信する。さらに応答モード受信部１００は、通信相手の通信端末１０の応答モード情報を所定時間間隔で受信する。応答モード受信部１００は、受信した応答モード情報を通信相手の通信端末１０を識別する端末識別情報に対応づけて応答モード受信制御部１０２に供給する。
【００２８】
応答モード受信制御部１０２は、応答モード受信部１００の受信動作を制御する。応答モード受信制御部１０２は、応答モード受信部１００を制御して、応答モード受信部１００が受信した応答モード情報を相手モード格納部１２０に供給する。また、応答モード受信制御部１０２は、端末識別情報取得部１１０に端末識別情報を供給する。端末識別情報取得部１１０は、応答モード受信制御部１０２から端末識別情報を取得する。ここで、端末識別情報は、通信相手の通信端末１０を識別する端末識別子、通信相手の通信端末１０の電話番号を含む。端末識別情報取得部１１０は、例えば、端末識別子、または電話番号を端末識別情報から抽出して取得する。端末識別情報取得部１１０は、取得した端末識別情報を、相手モード格納部１２０および通知制御部１３０に供給する。
【００２９】
相手モード格納部１２０は、通信相手の通信端末１０を識別する端末識別情報に対応づけて、応答モード受信部１００が受信した応答モード情報を格納する。具体的には、相手モード格納部１２０は、応答モード受信部１００が応答モード受信制御部１０２に制御されて受信した応答モード情報を応答モード受信制御部１０２から受け取り、当該応答モード情報を送信した通信相手の通信端末１０を識別する端末識別情報を、端末識別情報取得部１１０から受け取って格納する。また、応答モード受信部１００は、応答モード受信制御部１０２に制御されて、通信相手の通信端末１０の応答モード情報を所定時間間隔で受信して、受信した応答モード情報で相手モード格納部１２０を更新する。相手モード格納部１２０は、格納している通信相手の通信端末１０の応答モード情報を、通知制御部１３０に供給する。
【００３０】
相手画像格納部１４０は、通信相手の通信端末１０を識別する端末識別情報に対応づけて、通信相手を識別する画像を格納する。相手画像格納部１４０が格納する画像は、例えば、通信相手の通信端末１０を利用するユーザの顔写真、予め定められた静止画、予め定められた動画、予め定められたアイコン、または通信相手の通信端末１０を利用するユーザを表すキャラクター等である。相手画像格納部１４０は、通知制御部１３０に制御されて、格納している画像を通知制御部１３０に供給する。
【００３１】
応答モード設定部１６０は、通信端末１０を利用するユーザに、通信端末１０の応答モードを設定させる。具体的には、応答モード設定部１６０は、自動応答モード、手動応答モード、応答拒否モード、または利用不可モードのいずれかの応答モードを、通信端末１０を利用するユーザに選択させる。応答モード設定部１６０は、ユーザが選択した応答モードが通信端末１０において実現されるべく、通信端末１０が備える音声データを受信する音声データ受信部および音声データを送信する音声データ送信部を制御する。応答モード設定部１６０は、選択された応答モードを応答モード格納部１７０に供給する。
【００３２】
応答モード格納部１７０は、通信端末１０の応答モードが自動応答モード、手動応答モード、応答拒否モード、利用不可モードのいずれの応答モードに設定されているかを示す応答モード情報を格納する。応答モード格納部１７０は、通知制御部１３０に制御されて応答モード情報を通知制御部１３０に供給する。また、応答モード格納部１７０は、応答モード送信制御部１０６に制御されて、応答モード情報を応答モード送信制御部１０６に供給する。
【００３３】
通知制御部１３０は、端末識別情報取得部１１０から受け取った端末識別情報、相手モード格納部１２０から受け取った通信相手の通信端末１０の応答モード情報、相手画像格納部１４０から受け取った画像、および応答モード格納部１７０から受け取った応答モード情報を、通知部１５０に供給して通知部１５０から通信端末１０のユーザに通知する。通知部１５０は、応答モード受信部１００が受信した応答モード情報が示す応答モードが自動応答モード、手動応答モード、応答拒否モード、および利用不可モードのいずれであるかをユーザに通知する。
【００３４】
具体的には、通知部１５０は、通知制御部１３０に制御されて、通信相手の通信端末１０の応答モードが自動応答モード、手動応答モード、応答拒否モード、および利用不可モードのいずれであるかを表示部１５２および音声出力部１５４からユーザに通知する。例えば、通知部１５０は、通信相手の通信端末１０の応答モードが自動応答モード、手動応答モード、応答拒否モード、および利用不可モードのいずれであるかを示す、テキストデータ、および画像データを表示部１５２に表示する。また、通知部１５０は、通信相手の通信端末１０の応答モードが自動応答モード、手動応答モード、応答拒否モード、および利用不可モードのいずれであるかを示す、自動応答モード、手動応答モード、応答拒否モード、および利用不可モードのそれぞれに予め対応づけた音を、音声出力部１５４から出力してもよい。
【００３５】
また、通知部１５０は、通知制御部１３０に制御されて、相手モード格納部１２０が格納している応答モード情報を参照して、当該応答モード情報が示す応答モードが自動応答モード、手動応答モード、応答拒否モード、および利用不可モードのいずれであるかを、当該応答モード情報に対応づけて相手モード格納部１２０が格納している端末識別情報が示す通信相手の通信端末１０と対応させてユーザに通知する。すなわち、通知部１５０は、通信相手の複数の通信端末１０のそれぞれについて、複数の通信端末１０のそれぞれの応答モードをユーザに通知する。
【００３６】
また、通知制御部１３０は、応答モード受信制御部１０２から受け取った応答モード情報に対応づけて相手モード格納部１２０が格納している端末識別情報を抽出する。そして、通知制御部１３０は、応答モード情報が示す応答モードが自動応答モード、手動応答モード、応答拒否モード、および利用不可モードのいずれであるかを、抽出した端末識別情報に対応づけて相手画像格納部１４０が格納している画像と対応させて表示部１５２に表示する。
【００３７】
なお、通知制御部１３０は、通信端末１０が、通信端末１０を製造した工場から電源ＯＦＦ状態（停止状態）で出荷された場合において、通信端末１０の電源がユーザによって投入され、通信端末１０の応答モードを含むプレゼンス情報のプレゼンスサーバ２０への送信、および通信相手の通信端末１０のプレゼンス情報の取得・表示を担うプレゼンスアプリケーションを起動させたときに、予め定められたメッセージを表示部１５２に表示させる。例えば、通知制御部１３０は、ユーザがプレゼンスアプリケーションを起動させたときに、表示部１５２に通信端末１０の状態を、自己のプレゼンス情報を他の通信端末１０に提供可能な状態に遷移させることを促す予め定められたメッセージを、予め定められた順序で表示する。これにより通信端末１０のユーザは、通信端末１０の表示部１５２に表示される指示に従うだけで、容易に通信端末１０を、他の通信端末１０のプレゼンス情報を参照できる状態に遷移させることができる。
【００３８】
応答モード送信部１０４は、応答モード送信制御部１０６に制御されて、応答モード格納部１７０が格納している応答モード情報を通信相手の通信端末１０に送信する。そして、応答モード送信部１０４は、応答モード格納部１７０が格納している応答モード情報が示す応答モードが自動応答モード、手動応答モード、応答拒否モード、および利用不可モードのいずれであるかを通信相手の通信端末１０からユーザに通知させる。具体的には、応答モード送信部１０４は、応答モード送信制御部１０６が応答モード格納部１７０から受け取った応答モード情報を、ネットワーク４０を介してプレゼンスサーバ２０に送信する。そして、プレゼンスサーバ２０から通信相手の複数の通信端末１０に、応答モード送信部１０４が送信した応答モード情報が送信される。
【００３９】
本実施形態に係る通信端末１０によれば、通信相手の通信端末１０の現在の応答モードを、通信端末１０を利用するユーザに随時通知できる。これにより、通信端末１０を利用するユーザは、通信相手の通信端末１０を利用しているユーザの状況に応じて、適切なタイミングでＰＴＴ通信方式による通信を開始することができる。
【００４０】
図３は、本実施形態に係る相手モード格納部１２０のデータ構造の一例を示す。相手モード格納部１２０は、応答モード受信部１００が受信した応答モード情報を応答モード受信制御部１０２から受け取って、受け取った応答モード情報を、端末識別情報取得部１１０から受け取った端末識別情報に対応づけて格納する。端末識別情報は、通信相手の通信端末１０を一意に識別する端末識別子であり、例えば、電話番号である。図３の例においては、相手モード格納部１２０は、端末識別情報２０００に対応づけて応答モード情報として手動応答を示す情報を格納する。これは、端末識別情報２０００で識別される通信相手の通信端末１０の応答モードが、現在、手動応答モードであることを示す。
【００４１】
同様にして、相手モード格納部１２０は、端末識別情報２０１０に対応づけて応答モード情報として自動応答を示す情報を格納する。これは、端末識別情報２０１０で識別される通信相手の通信端末１０の応答モードが、現在、自動応答モードであることを示す。また、相手モード格納部１２０は、端末識別情報２０２０に対応づけて応答モード情報として応答拒否を示す情報を格納する。これは、端末識別情報２０２０で識別される通信相手の通信端末１０の応答モードが、現在、応答拒否モードであることを示す。そして、相手モード格納部１２０は、端末識別情報２０３０に対応づけて応答モード情報として利用不可を示す情報を格納する。これは、端末識別情報２０３０で識別される通信相手の通信端末１０の応答モードが、現在、利用不可モードであることを示す。
【００４２】
図４は、本実施形態に係るＰＴＴタプルの構成の一例を示す。通信端末１０の応答モードは、ＸＭＬ言語を用いて定義できる。例えば、自動応答モードにおいては、ＰＴＴの記述における「ｂａｓｉｃ」について"ｏｐｅｎ"と記述して、ＰｏＣ（Ｐｕｓｈ−ｔｏ−  ｔａｌｋ  ｏｖｅｒ  Ｃｅｌｌｕｌａｒ）の使用を許可する。そして、「ｗｉｌｌｉｎｇｎｅｓｓ」について"ｏｐｅｎ"と記述して、通信端末１０を利用するユーザがＰｏＣの使用を所望している旨を設定する。さらに、ＰＴＴ応答モードの「ｂａｓｉｃ」において、"ｏｐｅｎ"と記述することにより、通信端末１０が自動応答モードに設定される。
【００４３】
また、手動応答モードにおいては、ＰＴＴの記述における「ｂａｓｉｃ」について"ｏｐｅｎ"と記述して、ＰｏＣの使用を許可する。そして、「ｗｉｌｌｉｎｇｎｅｓｓ」について"ｏｐｅｎ"と記述して、通信端末１０を利用するユーザがＰｏＣの使用を所望している旨を設定する。さらに、ＰＴＴ応答モードの「ｂａｓｉｃ」において、"ｃｌｏｓｅｄ"と記述することにより、通信端末１０が手動応答モードに設定される。
【００４４】
そして、応答拒否モードにおいては、ＰＴＴの記述における「ｂａｓｉｃ」について"ｏｐｅｎ"と記述して、ＰｏＣの使用を許可する。そして、「ｗｉｌｌｉｎｇｎｅｓｓ」について"ｃｌｏｓｅｄ"と記述して、通信端末１０を利用するユーザがＰｏＣの使用を所望していない旨を設定することにより、通信端末１０が応答拒否モードに設定される。さらに、利用不可モードにおいては、ＰＴＴの記述における「ｂａｓｉｃ」について"ｃｌｏｓｅｄ"と記述してＰｏＣの使用を禁止することにより、通信端末１０が利用不可モードに設定される。
【００４５】
図５および図６は、本実施形態に係るＸＭＬ記述の一例である。まず、図５では、＜ｔｕｐｌｅ  ｉｄ＝"１"＞において、ＰｏＣの使用が可能か否かを示す記述６００、通信端末１０を利用するユーザがＰｏＣの使用を所望しているか否かを示す記述６１０、およびどのような通信サービスが提供されているかを示す記述６２０を含む複数のＸＭＬ記述によってＰＴＴの通信方式が定義される。図５においては、記述６００および記述６１０において、両者とも"ｏｐｅｎ"と記述されているので、自動応答モードまたは手動応答モードのいずれかの応答モードに設定する記述であることが示される。
【００４６】
本発明においては、さらに図６に示す＜ｔｕｐｌｅ  ｉｄ＝"２"＞において、ＸＭＬ記述を追加した。すなわち、記述６３０において、ＰＴＴ応答モードを規定した。具体的には、記述６３０において図６に示すように"ｏｐｅｎ"と記述することにより、通信端末１０の応答モードを、自動応答モードに設定することができる。一方、記述６３０を"ｃｌｏｓｅｄ"と記述した場合には（図示しない）、通信端末１０の応答モードを、手動応答モードに設定することができる。なお、記述６４０は、本発明で新たに定義した、通信端末１０に提供するサービスを示す識別情報である。
【００４７】
図７は、本実施形態に係るプレゼンス情報の一覧の一例を示す。プレゼンス情報は、Ｐｅｒｓｏｎ  ＳｔａｔｕｓおよびＳｅｒｖｉｃｅ  Ａｖｉｌａｂｉｌｉｔｙを備える。Ｐｅｒｓｏｎ  Ｓｔａｔｕｓは、Ｎｅｔｗｏｒｋ  Ａｖａｉｌａｂｉｌｉｔｙ、Ｐｒｅｓｅｎｃｅ  Ｓｔａｔｕｓ、およびＣｏｍｍｅｎｔに関する情報を有する。また、Ｓｅｒｖｉｃｅ  Ａｖｉｌａｂｉｌｉｔｙは、ＰＴＴ、電話、および電子メールに関する情報を有する。
【００４８】
具体的には、Ｎｅｔｗｏｒｋ  Ａｖａｉｌａｂｉｌｉｔｙは、通信端末１０がプレゼンスサーバ２０を介して通信相手の複数の通信端末１０にプレゼンス情報を提供しているか否かを示す情報を含む。Ｎｅｔｗｏｒｋ  Ａｖａｉｌａｂｉｌｉｔｙの設定値としては、プレゼンス情報を提供していることを示す"提供中"、プレゼンス情報を提供していないことを示す"停止中"、およびプレゼンス情報を提供しているか否かが不明であることを示す"不明"を含む。
【００４９】
Ｐｒｅｓｅｎｃｅ  Ｓｔａｔｕｓは、通信端末１０の現在の状況、および通信端末１０を利用するユーザの状況を端的に示す情報を含む。Ｐｒｅｓｅｎｃｅ  Ｓｔａｔｕｓは、当該情報の情報量を規定する。例えば、テキストデータとしては、全角半角を問わず４文字まで、およびアイコンとしては絵文字１文字までと規定できる。また、Ｃｏｍｍｅｎｔは、通信端末１０の現在の状況、および通信端末１０を利用するユーザの状況を示す情報を含む。Ｃｏｍｍｅｎｔは、当該情報の情報量を規定する。例えば、テキストデータおよび絵文字も含めて、全角半角を問わず１５文字までと規定できる。
【００５０】
ＰＴＴに関する情報としては、通信端末１０の応答モードが半二重のＰＴＴ通信方式の自動応答モード、手動応答モード、応答拒否モード、および利用不可モードのいずれであるかを設定できる。電話に関する情報としては、通信端末１０において全二重の音声通信方式での応答ができる旨、急用のみ応答できる旨、および応答できない旨を示すモードに設定できる。また、電子メールに関する情報としては、電子メールを返信できる旨、電子メールを後で返信する旨、および電子メールの利用ができない旨を示すモードに設定できる。
【００５１】
図８は、他の実施形態に係る通信端末１０の待受け画面の一例を示す。通信端末１０の表示部１５２は、通信端末１０を利用するユーザが通信状態にない場合において、プレゼンス情報をプレゼンスサーバ２０に提供している他の複数の通信端末１０のプレゼンス情報のうち、通信端末１０を利用するユーザが選択したプレゼンス情報を待受画面として表示する。通信端末１０は、待受け画面に表示されているプレゼンス情報をユーザに選択させるプレゼンス情報選択部と、プレゼンス情報選択部がユーザに選択させたプレゼンス情報を提供している通信端末１０において許可されている通信方式を、当該通信端末１０が提供しているプレゼンス情報から取得する通信方式取得部と、通信方式取得部が取得した通信方式を用いて、プレゼンス情報選択部が選択したプレゼンス情報を提供している通信端末１０との通信の開始を制御する通信制御部とをさらに備えてよい。
【００５２】
具体的には、通信方式取得部は、プレゼンス情報選択部がユーザに選択させたプレゼンス情報を提供している通信端末１０の端末識別情報を、応答モード受信部１００から受け取る。さらに、通信方式取得部は、当該端末識別情報で識別される通信端末１０がプレゼンスサーバ２０を介して提供しているプレゼンス情報を、応答モード受信部１００から受け取る。そして、通信方式取得部は、応答モード受信部１００から受け取ったプレゼンス情報に含まれる通信方式を取得する。続いて、通信制御部は、通信方式取得部が取得した通信方式で、通信端末１０と通信相手の通信端末１０との間の通信を開始する。
【００５３】
これにより通信端末１０を利用するユーザは、待受け画面に表示されているプレゼンス情報を参照して、所望の通信相手のプレゼンス情報を選択するだけで、所望の通信相手の通信端末１０に対して当該通信相手の通信端末１０が提供している通信方式で通信を開始できる。例えば、表示部１５２の待受け画面において、通信相手の通信端末１０のプレゼンス情報を表示する領域である他人プレゼンス表示領域７１０、他人プレゼンス表示領域７２０、および他人プレゼンス表示領域７３０のそれぞれに、通信端末１０を利用するユーザが選択した他の通信端末１０のプレゼンス情報が随時更新されつつ表示される。そして、通信端末１０を利用するユーザが、他人プレゼンス表示領域７１０を選択すると、通信端末１０は、例えば、他人プレゼンス表示領域７１０にプレゼンス情報を提供している他の通信端末１０が許可している通信方式（例えば、ＰＴＴ通信方式）による通信を開始する。
【００５４】
なお、他人プレゼンス表示領域７１０にはメッセージ表示領域７１２が含まれる。具体的には、通知制御部１３０は、応答モード受信制御部１０２からプレゼンス情報を受け取る。そして、通知制御部１３０は、プレゼンス情報に含まれるＣｏｍｍｅｎｔを抽出する。続いて、通知制御部１３０は、表示部１５２に含まれるメッセージ表示領域７１２に抽出したＣｏｍｍｅｎｔを表示する。メッセージ表示領域７１２、メッセージ表示領域７２２、およびメッセージ表示領域７３２にはそれぞれ、それぞれのメッセージ表示領域に表示すべきＣｏｍｍｅｎｔを提供する他の通信端末１０のユーザが当該他の通信端末１０に入力したメッセージが表示される。なお、表示部１５２は、通信端末１０を利用するユーザが当該通信端末１０に入力した情報を含むプレゼンス情報を表示するマイプレゼンス表示領域７００を含む。
【００５５】
図９は、他の実施形態に係るマイプレゼンスの設定方法の一例を示す。マイプレゼンスとは、通信端末１０の現在の状況を示すプレゼンス情報をいう。通信端末１０は、マイプレゼンス情報を設定するマイプレゼンス設定部と、マイプレゼンス設定部が設定したマイプレゼンス情報を表示部１５２に表示させる表示制御部とをさらに備える。例えば、通信端末１０の状態が、全二重の音声通信方式による応答、すなわち電話による応答、および半二重のＰＴＴ通信方式による応答を禁止しており、さらに、電子メールでの応答を"後で返信"に設定している状態である場合、すなわち、一括設定において"すべてＮＧ"の場合を考える。
【００５６】
係る場合において、通信端末１０を利用するユーザが、電話、ＰＴＴ通信、および電子メールでの応答のすべてについて許可したい場合、ユーザは、表示部１５２に表示された"変更"ボタンを操作して、"一括設定"を選択枠８００で選択する。ユーザが"一括設定"を選択すると、表示部１５２は、一括設定表示ウインドウ８１０を表示部１５２内に表示する。そして、ユーザが"すべてＯＫ"を選択枠８２０で選択すると、マイプレゼンス設定部は、電話、ＰＴＴ通信、および電子メールのすべてについて、通信可能な状態になった旨を示す情報を、応答モード送信部１０４を介してプレゼンスサーバ２０に送信する。
【００５７】
また、マイプレゼンス設定部は、電話、ＰＴＴ通信、および電子メールのすべてについて通信可能な状態になった旨を示す情報を、通信制御部に供給する。通信制御部は当該情報を受け取り、通信端末１０を、これらすべての通信方式で通信可能とすべく制御する。なお、一括設定表示ウインドウ８１０においてユーザが"メールのみＯＫ"を選択した場合には、マイプレゼンス設定部は、電子メールについて通信可能な状態になった旨を示す情報を通信制御部に供給する。通信制御部は当該情報を受け取り、通信端末１０を、電子メールで通信可能とすべく制御する。また、一括設定表示ウインドウ８１０においてユーザが"ユーザ設定"を選択した場合には、マイプレゼンス設定部は、電話、ＰＴＴ通信、および電子メールのうち、ユーザが選択した通信方式について通信可能な状態になった旨を示す情報を通信制御部に供給する。通信制御部は当該情報を受け取り、通信端末１０を、ユーザが選択した通信方式で通信可能とすべく制御する。
【００５８】
図１０は、本実施形態に係る通信端末１０のハードウェア構成の一例を示す。本実施形態に係る通信端末１０は、ホスト・コントローラ１５８２により相互に接続されるＣＰＵ１５０５、ＲＡＭ１５２０、グラフィック・コントローラ１５７５、および表示装置１５８０を有するＣＰＵ周辺部と、入出力コントローラ１５８４によりホスト・コントローラ１５８２に接続される通信インターフェイス１５３０、ハードディスクドライブ１５４０、およびＣＤ−ＲＯＭドライブ１５６０を有する入出力部と、入出力コントローラ１５８４に接続されるＲＯＭ１５１０、フレキシブルディスク・ドライブ１５５０、および入出力チップ１５７０を有するレガシー入出力部とを備える。
【００５９】
ホスト・コントローラ１５８２は、ＲＡＭ１５２０と、高い転送レートでＲＡＭ１５２０をアクセスするＣＰＵ１５０５およびグラフィック・コントローラ１５７５とを接続する。ＣＰＵ１５０５は、ＲＯＭ１５１０およびＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【００６０】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、通信端末１０内のＣＰＵ１５０５が使用するプログラムおよびデータを格納する。ＣＤ−ＲＯＭドライブ１５６０は、ＣＤ−ＲＯＭ１５９５からプログラムまたはデータを読み取り、ＲＡＭ１５２０を介してハードディスクドライブ１５４０に提供する。
【００６１】
また、入出力コントローラ１５８４には、ＲＯＭ１５１０と、フレキシブルディスク・ドライブ１５５０、および入出力チップ１５７０の比較的低速な入出力装置とが接続される。ＲＯＭ１５１０は、通信端末１０が起動時に実行するブート・プログラム、通信端末１０のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【００６２】
ＲＡＭ１５２０を介してハードディスクドライブ１５４０に提供される通信プログラムは、フレキシブルディスク１５９０、ＣＤ−ＲＯＭ１５９５、またはＩＣカード等の記録媒体に格納されて利用者によって提供される。通信プログラムは、記録媒体から読み出され、ＲＡＭ１５２０を介して通信端末１０内のハードディスクドライブ１５４０にインストールされ、ＣＰＵ１５０５において実行される。通信端末１０にインストールされて実行される通信プログラムは、ＣＰＵ１５０５等に働きかけて、通信端末１０を、図１から図９にかけて説明した応答モード受信部１００、応答モード受信制御部１０２、応答モード送信部１０４、応答モード送信制御部１０６、端末識別情報取得部１１０、相手モード格納部１２０、通知制御部１３０、相手画像格納部１４０、通知部１５０、表示部１５２、音声出力部１５４、応答モード設定部１６０、および応答モード格納部１７０として機能させる。
【００６３】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００６４】
【図１】通信システム３０の概念図である。
【図２】通信端末１０の機能構成を示すブロック図である。
【図３】相手モード格納部１２０のデータ構造を示す図である。
【図４】ＰＴＴタプルの構成を示す図である。
【図５】ＸＭＬ記述を示す図である。
【図６】ＸＭＬ記述を示す図である。
【図７】プレゼンス情報の一覧を示す図である。
【図８】通信端末１０の待受け画面を示す図である。
【図９】マイプレゼンスの設定方法を示す図である。
【図１０】通信端末１０のハードウェア構成を示すブロック図である。
【符号の説明】
【００６５】
１０  通信端末
２０  プレゼンスサーバ
２２  ＳＩＰサーバ
３０  通信システム
４０  ネットワーク
１００  応答モード受信部
１０２  応答モード受信制御部
１０４  応答モード送信部
１０６  応答モード送信制御部
１１０  端末識別情報取得部
１２０  相手モード格納部
１３０  通知制御部
１４０  相手画像格納部
１５０  通知部
１５２  表示部
１５４  音声出力部
１６０  応答モード設定部
１７０  応答モード格納部
５００、５０２、５０４  応答モード通知領域
６００、６１０、６２０、６３０、６４０  記述
７００  マイプレゼンス表示領域
７１０、７２０、７３０  他人プレゼンス表示領域
７１２、７２２、７３２  メッセージ表示領域
８００、８２０  選択枠
８１０  一括設定表示ウインドウ
１５０５  ＣＰＵ
１５１０  ＲＯＭ
１５２０  ＲＡＭ
１５３０  通信インターフェイス
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
２０００、２０１０、２０２０、２０３０  端末識別情報
【図１】
2008104117.tif 000003
【図２】
2008104117.tif 000004
【図３】
2008104117.tif 000005
【図４】
2008104117.tif 000006
【図５】
2008104117.tif 000007
【図６】
2008104117.tif 000008
【図７】
2008104117.tif 000009
【図８】
2008104117.tif 000010
【図９】
2008104117.tif 000011
【図１０】
2008104117.tif 000012